(57)【要約】【課題】作業が簡単な半田付けにより、他の電線を確実にニクロム線に接続することができるニクロム線の接続具およびその製造方法を提供することを課題とする。【解決手段】１はニクロム線、２は半田付けが容易な金属からなる金属板である。半田３は金属板２に固着しており、ニクロム線の端部は、半田３に埋没した状態で半田３に固着している。ニクロム線１の端部は、半田３によって金属板２の表面上の一部に固着しており、この金属板２の表面上の他の部分に電源コード等の他の電線を半田付けすれば、当該他の電線とニクロム線１とを接続することができる。【選択図】  図１
2004281092.tif 000002
【特許請求の範囲】
【請求項１】
半田付けが可能な金属からなる金属板または導電帯で構成され、当該金属板または導電帯の表面の一部に固着している半田の塊の内部にニクロム線の端部が埋没した状態で固着していることを特徴とするニクロム線の接続具。
【請求項２】
半田付けが可能な金属からなる金属板または導電帯の表面上に、ニクロム線の端部を載置し、当該載置されたニクロム線の端部が埋没するように溶けた半田の塊を前記金属板または導電帯の表面上に載置し、当該載置された半田の塊が冷却されて固体化するまで、前記ニクロム線の端部を動かさない状態で保持することによって当該ニクロム線の端部を前記金属板または導電帯の表面上の一部に半田付けすることを特徴とするニクロム線の接続具の製造方法。
【発明の詳細な説明】
【０００１】
【発明の属する技術分野】
本発明は、ニクロム線の端部と他の電線の端部とを接続するためのニクロム線の接続具およびその製造方法に関するものである。
【０００２】
【従来の技術】
従来からニクロム線は、アイロン，電気コンロ，ドライヤー，ヘヤーカーラー，電気こたつ，面状ヒーター，便座用ヒーター，カーペット用ヒーター，床暖房用ヒーター等の発熱体として広く用いられている。
【０００３】
これらの製品において、ニクロム線の端部と電源コード等の他の電線の端部との接続は、一般に以下の方法によって行なわれている。即ち、図３（ａ），（ｂ）に示すように、ニクロム線１と電線１０とを圧着端子１１を用いて接続する方法か、または図４（ａ），（ｂ）に示すように、ネジ１２とワッシャー１３とを用いて固定して接続する方法である。
【０００４】
このように従来は、ニクロム線１と他の電線１０とは機械的な力を用いて接続されていた。通常２本の電線を接続する場合には、その２本の電線を半田付けすることにより容易に接続することができるが、溶けている半田はニクロム線に接着しにくいために、ニクロム線と他の電線との接続には、以上説明した方法が一般に用いられている。
【０００５】
【発明が解決しようとする課題】
しかしながら、従来のニクロム線と他の電線との接続方法には以下のような問題があった。
【０００６】
すなわち、作業が簡単な半田付けにより容易に接続することができないために、その接続作業に手間がかかり、製品の生産性の向上が阻まれてしまうという問題があった。さらに、製品の使用中に接続部分が緩んで接触不良を起こし、製品の故障の原因となってしまうという問題もあった。
【０００７】
本発明の目的は、作業が簡単な半田付けにより、他の電線を確実にニクロム線に接続することができるニクロム線の接続具およびその製造方法を提供することにある。
【０００８】
【課題を解決するための手段】
本願発明者は、ある条件下では、ニクロム線は半田に完全に固着し得ることを発見し、この知見によって本願発明をなすに到ったものである。その条件とは、溶けている半田の塊の中にニクロム線が埋没している場合には、溶けている半田が冷却して固体化するまで埋没しているニクロム線を動かさなければよいという条件である。
【０００９】
本発明によれば、第１に、半田付けが可能な金属からなる金属板または導電帯で構成され、当該金属板または導電帯の表面の一部に固着している半田の塊の内部にニクロム線の端部が埋没した状態で固着していることを特徴とするニクロム線の接続具を提供することができる。
【００１０】
本発明によれば、第２に、半田付けが可能な金属からなる金属板または導電帯の表面上に、ニクロム線の端部を載置し、当該載置されたニクロム線の端部が埋没するように溶けた半田の塊を前記金属板または導電帯の表面上に載置し、当該載置された半田の塊が冷却されて固体化するまで、前記ニクロム線の端部を動かさない状態で保持することによって当該ニクロム線の端部を前記金属板または導電帯の表面上の一部に半田付けすることを特徴とするニクロム線の接続具の製造方法を提供することができる。
【００１１】
【発明の実施の形態】
以下、図面を用いて本発明の実施形態について説明する。
【００１２】
図１（ａ）は本発明の一実施形態の平面構成を示す構成図であり、図１（ｂ）はそのＡ−Ａ’断面図である。
【００１３】
図１（ａ），（ｂ）において、１はニクロム線、２は金属板、３は半田である。図１（ｂ）に示したように、半田３の塊は、金属板２に固着しており、ニクロム線１は半田３の塊の中に埋没した状態で半田３に固着している。
【００１４】
ここで、金属板２は、半田付けが可能な金属によって構成されている。なお、この金属板２は、半田付けが可能な金属の細線によって編まれている導電帯としてもよい。
【００１５】
このように構成された本実施形態においては、図１（ａ）に示したように、金属板２の表面上の一部にニクロム線１が半田付けされているので、この金属板２の表面の他の部分に電源コード等の他の電線を容易に半田付けすることができる。  次に本実施形態の製造方法について図２を用いて説明する。
【００１６】
先ず、図２（ａ）に示したように金属板２の表面上にニクロム線１の端部を載置し、テープ４，５で固定する。次に、図２（ｂ）に示したように、金属板２上のニクロム線１が埋没するように溶けた半田３の塊を、金属板２の表面の一部に載置し、この状態で半田３を冷却させて固体化させる。
【００１７】
このように、溶けた半田３の塊が固体化するまでニクロム線１が動かない状態にすれば、金属板２にニクロム線１を完全に半田付けすることができる。半田３の塊が固体化した後は、ニクロム線１は半田３に密着固定化され、通常の半田付けと同様にこの接続部分での接触抵抗は生じない。
【００１８】
次に、テープ４，５を外し、図２（ｃ）に示したようにニクロム線１の先端部を切断して、本実施形態の製造を終了する。
【００１９】
なお、以上説明した製造方法においては、ニクロム線１の端部が動かないように、テープ４，５を用いてニクロム線１を固定したが、このニクロム線の固定方法はどのような固定方法であってもよい。
【００２０】
以上のようにして製造されて本実施形態に他の電線を接続する場合には、図２（ｂ）に示したように、金属板２の表面上の半田３とは離れた部分に電線６を載置し、この電線６を、図２（ｅ）に示したように半田７によって金属板２に半田付けすればよい。このように、電線６を半田３から離れた部分に半田付けすれば、この半田付けの作業中に半田３が溶けるようなことはない。
【００２１】
【発明の効果】
以上説明したように本発明によれば、作業が簡単な半田付けにより、他の電線を確実にニクロム線に接続することができるニクロム線の接続具およびその製造方法を提供することができる。
【図面の簡単な説明】
【図１】本発明の一実施形態の構成を示す構成図であり、（ａ）は平面構成を示す構成図、（ｂ）は断面構成を示す構成図である。
【図２】図１に示した実施形態の製造方法の説明図である。
【図３】従来のニクロム線と他の電線との接続方法の説明図である。
【図４】従来のニクロム線と他の電線との接続方法の説明図である。
【符号の説明】
１  ニクロム線
２  金属板
３，７  半田
４，５  テープ
６，１０  電線
１１  圧着端子
１２  ネジ
１３  ワッシャー
【図１】
2004281092.tif 000003
【図２】
2004281092.tif 000004
【図３】
2004281092.tif 000005
【図４】
2004281092.tif 000006